(57)【要約】【課題】優れた柔軟効果を確保すると同時に、変色を防止することのできる柔軟仕上げ剤を提供すること。【解決手段】レシチンと、炭素数８〜２２の脂肪酸塩と、ポリグリセリン脂肪酸エステルとを配合して、柔軟仕上げ剤を調製する。この柔軟仕上げ剤によれば、優れた柔軟効果を確保することができると同時に良好な水溶性を確保することができる。そのため、繊維製品に柔軟性を十分に付与することができると同時に、残渣の発生を防止して、変色（染み）の発生を確実に防止することができる。【選択図】なし【特許請求の範囲】
【請求項１】
レシチンと、炭素数８〜２２の脂肪酸塩と、ポリグリセリン脂肪酸エステルとを含有していることを特徴とする、柔軟仕上げ剤。
【請求項２】
モノグリセリン脂肪酸エステルをさらに含有していることを特徴とする、請求項１に記載の柔軟仕上げ剤。
【請求項３】
ソルビタン脂肪酸エステルおよび／またはアルキルグルコシドをさらに含有していることを特徴とする、請求項１または２に記載の柔軟仕上げ剤。
【請求項４】
レシチンの配合割合が、柔軟仕上げ剤１００重量部に対して、１〜３０重量部であることを特徴とする、請求項１〜３のいずれかに記載の柔軟仕上げ剤。
【発明の詳細な説明】
【技術分野】
【０００１】
本発明は、柔軟仕上げ剤、詳しくは、衣料品などの繊維製品の柔軟仕上げに用いられる柔軟仕上げ剤に関する。
【背景技術】
【０００２】
従来より、柔軟仕上げ剤は、水に希釈されて、衣料品などの繊維製品の柔軟仕上げに用いられている。
そのような柔軟仕上げ剤として、例えば、レシチンと、炭素数８〜２２の脂肪酸塩と、アルコール系溶剤とを含有する柔軟仕上げ剤が提案されている（例えば、特許文献１参照。）。
【先行技術文献】
【特許文献】
【０００３】
【特許文献１】特開２００７−５６４２６号公報
【発明の概要】
【発明が解決しようとする課題】
【０００４】
しかし、レシチン自体は、水に対して不溶性であるため、特許文献１に記載の柔軟仕上げ剤では、そのようなレシチンが比較的高い配合割合で含有されていることから、希釈時における柔軟仕上げ剤の水溶性が低下し易い。そのため、柔軟仕上げ剤は、残渣として残存し、柔軟仕上げ後の繊維製品に染み（変色）を生じるという不具合がある。
一方、柔軟仕上げ剤におけるレシチンの配合割合を低下させると、柔軟仕上げ剤の水溶性の低下を防止して、上記した不具合を解消することができるが、その分、レシチンによる柔軟効果が低下して、繊維製品に十分な柔軟性を付与することができないという不具合がある。
【０００５】
本発明の目的は、優れた柔軟効果を確保すると同時に、変色を防止することのできる柔軟仕上げ剤を提供することにある。
【課題を解決するための手段】
【０００６】
本発明の柔軟仕上げ剤は、レシチンと、炭素数８〜２２の脂肪酸塩と、ポリグリセリン脂肪酸エステルとを含有していることを特徴としている。
また、本発明の柔軟仕上げ剤は、モノグリセリン脂肪酸エステルをさらに含有していることが好適であり、また、ソルビタン脂肪酸エステルおよび／またはアルキルグルコシドをさらに含有していることが好適である。
【０００７】
また、本発明の柔軟仕上げ剤では、レシチンの配合割合が、柔軟仕上げ剤１００重量部に対して、１〜３０重量部であることが好適である。
【発明の効果】
【０００８】
本発明の柔軟仕上げ剤は、レシチンと、炭素数８〜２２の脂肪酸塩と、ポリグリセリン脂肪酸エステルとを含有しているので、優れた柔軟効果を確保することができると同時に良好な水溶性を確保することができる。
そのため、繊維製品に柔軟性を十分に付与することができると同時に、残渣の発生を防止して、変色（染み）の発生を確実に防止することができる。
【０００９】
また、本発明の柔軟仕上げ剤は、レシチンの可溶安定性および／または分散安定性にも優れている。
【発明を実施するための形態】
【００１０】
本発明の柔軟仕上げ剤は、レシチンと、脂肪酸塩と、ポリグリセリン脂肪酸エステルとを含有している。
レシチンとしては、例えば、大豆レシチン、卵黄レシチンなどの天然レシチン、その水素添加物や精製物などの誘導体、または、植物油などが配合された混合物などが挙げられる。
【００１１】
レシチンは、単独の種類を使用することができ、また、２種類以上を併用することもできる。
レシチンとして、柔軟効果および製造コストの観点から、好ましくは、大豆レシチンが挙げられる。
脂肪酸塩は、柔軟仕上げ剤の希釈時（後述する処理液の調製時）における希釈水（後述）に対するレシチンの可溶性および／または分散（乳化）性を向上させるために配合される。
【００１２】
脂肪酸塩を形成する脂肪酸の炭素数は、８〜２２、好ましくは、８〜１８であり、そのような脂肪酸としては、例えば、カプリル酸（オクタン酸）、ペラルゴン酸（ノナン酸）、カプリン酸（デカン酸）、ウンデシル酸（ウンデカン酸）、ラウリン酸（ドデカン酸）、トリデシル酸（トリデカン酸）、ミリスチン酸（テトラデカン酸）、ペンタデシル酸（ペンタデカン酸）、パルミチン酸（ヘキサデカン酸）、ヘプタデシル酸（ヘプタデカン酸）、ステアリン酸（オクタデカン酸）、ノナデカン酸、アラキン酸（イコサン酸）、ヘンイコサン酸、ベヘン酸（ドコサン酸）などの飽和脂肪酸、例えば、ウンデシレン酸（１０−ウンデセン酸）、オレイン酸（シス−９−オクタデセン酸）、エライジン酸（トランス−９−オクタデセン酸）、リノール酸（シス−９，シス−１２−オクタデカジエン酸）、リノエライジン酸（トランス−９，トランス−１２−オクタデカジエン酸）、α−リノレン酸（９，１２，１５−オクタデカトリエン酸）、γ−リノレン酸（６，９，１２−オクタデカトリエン酸）、ステアロール酸（９−オクタデシン酸）、アラキドン酸（シス−５，８，１１，１４−エイコサテトラエン酸）、エルカ酸（シス−１３−ドコセン酸）、ブラシジン酸（トランス−１３−ドコセン酸）、セトレイン酸（１１−ドコセン酸）などの不飽和脂肪酸が挙げられる。これら脂肪酸は、単独使用または２種以上併用することができる。
【００１３】
また、脂肪酸は、合成物として調製された合成脂肪酸を用いることができ、あるいは、天然物に由来する天然脂肪酸をそのまま用いることもできる。
天然脂肪酸としては、例えば、ヤシ油脂肪酸などの植物油に由来する植物性脂肪酸、例えば、牛脂脂肪酸などの動物脂に由来する動物性脂肪酸などが挙げられる。
天然脂肪酸として、好ましくは、植物性脂肪酸が挙げられる。なお、ヤシ油脂肪酸は、ラウリン酸を主成分として含有し、カプリル酸、カプリン酸、ミリスチン酸、パルミチン酸、ステアリン酸、オレイン酸およびリノール酸を副成分として含有している。
【００１４】
脂肪酸のうち、環境や人体への観点から、好ましくは、天然脂肪酸が挙げられる。
脂肪酸塩を形成するカチオンとしては、無機カチオン、有機カチオンなどが挙げられる。
無機カチオンとしては、例えば、リチウムイオン、ナトリウムイオン、カリウムイオンなどのアルカリ金属イオン、マグネシウムイオン、カルシウムイオンなどのアルカリ土類金属イオンなどが挙げられる。好ましくは、アルカリ金属イオンが挙げられる。
【００１５】
有機カチオンとしては、例えば、モノエタノールアンモニウムイオンなどのアンモニウムイオンが挙げられる。
カチオンとしては、好ましくは、無機カチオンが挙げられる。
脂肪酸塩は、単独使用または２種以上併用することができる。
ポリグリセリン脂肪酸エステルは、柔軟仕上げ剤の希釈時における希釈水に対するレシチンの可溶性および／または分散性を向上させるために配合される。
【００１６】
ポリグリセリン脂肪酸エステルは、ポリグリセリンと脂肪酸とのエステル（ポリグリセリド）である。
ポリグリセリンの平均グリセリン単位は、例えば、２〜２０であり、好ましくは、４〜１６である。
脂肪酸としては、上記した脂肪酸と同様のものが挙げられ、好ましくは、飽和脂肪酸が挙げられる。
【００１７】
ポリグリセリン脂肪酸エステルにおける平均脂肪酸単位は、例えば、１〜２０、好ましくは、４〜１６である。
ポリグリセリン脂肪酸エステルのＨＬＢ（グリフィン法、以下同様。）は、例えば、１〜１６、好ましくは、６〜１２である。
ポリグリセリン脂肪酸エステルは、市販品を用いることができ、具体的には、ＳＹグリスターシリーズ（例えば、ＴＳ−７Ｓ（デカグリセリントリステアレート）など、阪本薬品工業社製）などが挙げられる。
【００１８】
これらポリグリセリン脂肪酸エステルは、単独使用または２種以上併用することができる。
また、本発明の柔軟仕上げ剤には、好ましくは、モノグリセリン脂肪酸エステル、ソルビタン脂肪酸エステルおよび／またはアルキルグルコシドをさらに含有させることができる。
【００１９】
モノグリセリン脂肪酸エステルは、柔軟仕上げ剤の希釈時における希釈水に対するレシチンの可溶性および／または分散性をより一層向上させたり、柔軟仕上げ剤におけるレシチンの可溶安定性および／または分散安定性を向上させるために、必要により配合される。
モノグリセリン脂肪酸エステルは、グリセリンと脂肪酸とのエステル（グリセリド）であって、グリセリン脂肪酸モノエステル（エステル結合を形成する脂肪酸基が１つ、モノグリセリド）、グリセリン脂肪酸ジエステル（エステル結合を形成する脂肪酸基が２つ、ジグリセリド）、グリセリン脂肪酸トリエステル（エステル結合を形成する脂肪酸基が３つ、トリグリセリド）が挙げられる。
【００２０】
好ましくは、グリセリン脂肪酸モノエステルが挙げられる。
グリセリン脂肪酸エステルは、市販品を用いることができ、具体的には、エキセルシリーズ（例えば、１２２Ｖなど、花王工業社製）などが挙げられる。
モノグリセリン脂肪酸エステルのＨＬＢは、例えば、１〜５、好ましくは、２〜４である。
【００２１】
これらモノグリセリン脂肪酸エステルは、単独使用または２種以上併用することができる。
ソルビタン脂肪酸エステルは、柔軟仕上げ剤の希釈時における希釈水に対するレシチンの可溶性および／または分散性をより一層向上させたり、柔軟仕上げ剤におけるレシチンの可溶安定性および／または分散安定性を向上させるために、必要により配合される。
【００２２】
ソルビタン脂肪酸エステルは、分子中に４個の水酸基を有するソルビタンと、脂肪酸とのモノエステルまたはポリ（ジ、トリ、もしくは、テトラ）エステルである。ソルビタン脂肪酸エステルとして、好ましくは、ソルビタン脂肪酸モノエステルが挙げられる。
脂肪酸としては、上記した脂肪酸と同様のものが挙げられ、好ましくは、不飽和脂肪酸が挙げられる。
【００２３】
また、ソルビタン脂肪酸エステルとしては、ソルビタン脂肪酸エステルエーテルを挙げることもできる。
ソルビタン脂肪酸エステルエーテルとしては、例えば、ポリオキシアルキレンソルビタン脂肪酸エステルなどが挙げられ、具体的には、ポリオキシエチレンソルビタン脂肪酸エステルなどが挙げられる。
【００２４】
ポリオキシエチレンソルビタン脂肪酸エステルにおける平均オキシエチレン単位は、例えば、２〜４０、好ましくは、３〜３０である。
また、ソルビタン脂肪酸エステルは、市販品を用いることができ、具体的には、レオドールシリーズ（ＴＷ−Ｏ１２０Ｖ、ポリオキシエチレンソルビタンモノオレエート、花王社製）、エマゾールシリーズ（Ｏ−１２０Ｖ、ポリオキシエチレンソルビタンモノオレエート、花王社製）などが挙げられる。
【００２５】
ソルビタン脂肪酸エステルのＨＬＢは、例えば、５〜１９、好ましくは、８〜１８である。
ソルビタン脂肪酸エステルは、単独使用または２種以上併用することができる。
アルキルグルコシドは、レシチンの柔軟効果をより一層促進するために、必要により配合される。
【００２６】
アルキルグルコシドとしては、例えば、アルキルモノグルコシド、アルキルポリグルコシドなどが挙げられる。好ましくは、アルキルポリグルコシドが挙げられる。
アルキルグルコシドを形成するアルキル基としては、炭素数が、例えば、６〜３０、好ましくは、８〜１６のアルキル基であって、具体的には、例えば、オクチル、ノニル、デシル、ウンデシル、ドデシル、トリデシル、テトラデシル、ペンタデシル、ヘキサデシル、ヘプタデシル、オクタデシルなどが挙げられる。
【００２７】
アルキルグルコシドは、市販品を用いることができ、例えば、具体的には、プランタケアシリーズ（例えば、２０００ＵＰ、アルキル（Ｃ８〜１６）ポリグルコシド、コグニスジャパン社製）などが挙げられる。
これらアルキルグルコシドは、単独使用または２種以上併用することができる。
そして、本発明の柔軟仕上げ剤は、上記した各成分を後述する配合割合で配合して、攪拌混合することにより調製することができる。
【００２８】
また、本発明の柔軟仕上げ剤は、好ましくは、水をさらに配合して、水分散（乳化）液または水溶液として調製する。
各成分の配合割合は、柔軟仕上げ剤１００重量部に対して、レシチンが、例えば、１〜３０重量部、好ましくは、２〜１５重量部であり、脂肪酸塩が、例えば、１〜２０重量部、好ましくは、２〜１０重量部であり、ポリグリセリン脂肪酸エステルが、例えば、０．５〜１５重量部、好ましくは、１〜１０重量部である。
【００２９】
レシチンの配合割合が上記範囲を超える場合には、柔軟仕上げに用いられる繊維製品に臭い（たとえば、大豆臭）が残存したり、あるいは、製造コストが増大する場合がある。レシチンの配合割合が上記範囲に満たない場合には、柔軟効果が低下する場合がある。
ポリグリセリン脂肪酸エステルの配合割合が上記範囲を超える場合には、製造コストが増大する場合がある。ポリグリセリン脂肪酸エステルの配合割合が上記範囲に満たない場合には、柔軟仕上げ剤の希釈時においてレシチンを希釈水に対して十分に可溶化および／または分散化することができなかったり、柔軟仕上げ剤におけるレシチンの可溶安定性および／または分散安定性が低下する場合がある。
【００３０】
また、必要により配合される各成分の配合割合は、柔軟仕上げ剤１００重量部に対して、モノグリセリン脂肪酸エステルが、例えば、０．５〜１５重量部、好ましくは、１〜１０重量部であり、ソルビタン脂肪酸エステルが、例えば、０．５〜１５重量部、好ましくは、１〜１０重量部であり、アルキルグルコシドが、例えば、０．５〜１０重量部、好ましくは、１〜５重量部である。
【００３１】
また、水の配合割合は、上記した各成分の配合割合の残部となるように、設定される。
また、本発明の柔軟仕上げ剤には、香料、可溶化剤、防腐剤、その他、柔軟増強剤、帯電防止剤、防カビ剤、防ダニ剤などの添加剤を適宜の割合で添加することができる。
香料としては、例えば、テルペン系化合物、植物抽出物などが挙げられる。
テルペン系化合物としては、特開２００９−６２４２１号公報に記載のテルペン系化合物が挙げられる。
【００３２】
植物抽出物としては、例えば、グレープフルーツ、ハッカ、ユーカリ、レモンなどの植物からの抽出物が挙げられる。
香料は、単独使用または併用することができ、その配合割合は、柔軟仕上げ剤１００重量部に対して、例えば、５重量部以下、好ましくは、３重量部以下である。
可溶化剤としては、例えば、メタノール、エタノール、プロパノール、イソプロピルアルコールなどのアルコールなどが挙げられる。可溶化剤は、単独使用または併用することができ、その配合割合は、柔軟仕上げ剤１００重量部に対して、例えば、０．５〜５重量部、好ましくは、１〜４重量部である。
【００３３】
防腐剤としては、例えば、ソルビン酸、ソルビン酸ナトリウム、ソルビン酸カリウムなどのソルビン酸類、例えば、安息香酸、安息香酸ナトリウム、安息香酸カリウムなどの安息香酸類などが挙げられる。好ましくは、ソルビン酸類が挙げられる。
防腐剤は、単独使用または併用することができ、その配合割合は、柔軟仕上げ剤１００重量部に対して、例えば、２重量部以下、好ましくは、１重量部以下である。
【００３４】
そして、このようにして得られる柔軟仕上げ剤は、衣料品などの各種の繊維製品の柔軟仕上げに用いられる。
本発明の柔軟仕上げ剤を用いて繊維製品を柔軟仕上げするには、例えば、柔軟仕上げ剤を水に希釈して処理液を調製し、その処理液に繊維製品（洗濯工程後の繊維製品）を十分に浸漬した（濯ぎ工程）後、乾燥する（乾燥工程）。
【００３５】
柔軟仕上げ剤と水（希釈水）との配合割合は、希釈水１０００容量部に対して、例えば、０．０１〜１０容量部、好ましくは、０．０５〜５容量部であり、より具体的には、希釈水２０〜６０Ｌに対して、柔軟剤が、例えば、１〜５０ｍＬ、好ましくは、５〜３０ｍＬである。
そして、本発明の柔軟仕上げ剤は、優れた柔軟効果を確保することができると同時に良好な水溶性を確保することができる。
【００３６】
そのため、繊維製品に柔軟性を十分に付与することができると同時に、残渣の発生を防止して、変色（染み）の発生を確実に防止することができる。
また、本発明の柔軟仕上げ剤は、レシチンの可溶安定性および／または分散（乳化）安定性にも優れている。
【実施例】
【００３７】
以下に、実施例および比較例を挙げて本発明をさらに詳しく説明するが、本発明は、何ら実施例および比較例に限定されない。
（柔軟仕上げ剤の調製）
実施例１〜１０および比較例１〜４
表１に配合処方（重量部基準）に従って、各成分を配合し、攪拌混合することにより、柔軟仕上げ剤をそれぞれ調製した。
【００３８】
（評価）
（１）タオルの柔軟性
特開平２００７−５６４２６号公報に記載の「柔軟効果試験」に準拠して、柔軟性試験を実施して、各実施例および各比較例の柔軟仕上げ剤のタオル（白色布）に対する柔軟性を評価した。
【００３９】
すなわち、全自動洗濯機による濯ぎ工程において、柔軟仕上げ剤１５ｍＬに対して希釈水３０Ｌを加えて調製した処理液（柔軟仕上げ剤０．５ｍＬ／水１Ｌ）を用いて、洗濯工程後のタオルを濯いだ。その後、乾燥工程を実施し、その後、タオルの柔軟性を下記の基準で評価した。その結果を、表１に示す。
○：柔軟性が良好であった。
△：柔軟性が概ね良好であった。
×：柔軟性が不十分であった。
（２）柔軟仕上げ剤の希釈水に対する溶解性
上記した「（１）タオルの柔軟性」において、全自動洗濯機の洗濯槽における柔軟仕上げ剤の注入口を目視により観察して、柔軟仕上げ剤の希釈水に対する溶解性を下記の基準で評価した。その結果を、表１に示す。
○：柔軟仕上げ剤の残渣が生じなかった。
△：柔軟仕上げ剤の残渣がほとんど生じなかった。
×：柔軟仕上げ剤の残渣が生じた。
（３）レシチンの可溶安定性
柔軟仕上げ剤を、密閉容器に投入して、それを５０℃の恒温槽内に、７日間放置した。放置後の柔軟仕上げ剤を目視により観察して、柔軟仕上げ剤におけるレシチンの可溶安定性を下記の基準で評価した。その結果を、表１に示す。
○：レシチンの析出が生じなかった。
△：レシチンの析出がほとんど生じなかった。
×：レシチンの析出が生じた。
（４）タオルの変色（染み）
上記した「（１）タオルの柔軟性」において、乾燥後のタオルを目視により観察して、タオルの変色（染み）を下記の基準で評価した。その結果を、表１に示す。
○：タオルに染みが生じなかった。
△：タオルに染みがほとんど生じなかった。
×：タオルに染みが生じた。
（５）タオルの臭い（大豆臭）
上記した「（１）タオルの柔軟性」において、乾燥後のタオルの臭い（大豆臭）を、官能試験により下記の基準で評価した。その結果を、表１に示す。
○：大豆臭が感じられなかった。
△：大豆臭がほとんど感じられなかった。
×：大豆臭が感じられた。
【００４０】
【表１】
2011089223.tif 000002
表１中の各成分の詳細を以下に記載する。
レシチン：大豆レシチン
脂肪酸塩：ヤシ油脂肪酸カリウム
ポリグリセリン脂肪酸エステル：デカグリセリントリステアレート、ＨＬＢ９．８
モノグリセリン脂肪酸エステル：オレイン酸およびステアリン酸の混合物（重量比：１／１）とモノグリセリンとのグリセリン脂肪酸モノエステル、ＨＬＢ３．０
ポリオキシアルキレンソルビタン脂肪酸エステル：ポリオキシエチレンソルビタンモノオレエート、平均オキシエチレン単位２０、ＨＬＢ１５
アルキルグルコシド：デシルポリグルコシド
アルコール：エタノール
防腐剤：ソルビン酸カリウム